(57)【特許請求の範囲】
【請求項１】
元部外周にフランジが一体的に設けられた大口径管の外径より十分大きな内径を持った鋼製ソケットと、元部が該鋼製ソケット内に挿入される可撓性ゴムソケットと、拡径押え金具と、鋼製バンドとを用いてマンホール躯体の壁面に穿設された取付管用穴に大口径管を取付ける構造に於て、取付管用穴の周りのマンホール躯体の外周面に当接された前記鋼製ソケットのフランジがボルトを介してマンホール躯体に埋設されたアンカーに取付固定され、前記可撓性ゴムソケットの元部が鋼製ソケット内に挿入されて拡径押え金具で該鋼製ソケットの内周面に圧着固定され、前記可撓性ゴムソケット、鋼製ソケット及び取付管穴内に挿通された大口径管の外周面に鋼製バンドを介して可撓性ゴムソケットの先端部が締付固定されていることを特徴としたマンホールに於ける大口径管の取付構造。
【発明の詳細な説明】
【０００１】
【発明の属する技術分野】
本発明はマンホール躯体に大口径管を取付ける構造に係り、特にマンホール躯体に大口径管を取付ける際に生じるトラブルを解決することが出来るようにした大口径管の取付構造である。
【０００２】
【従来の技術】
マンホール躯体に取付管を取付ける構造としては、例えば本件特許出願人が開発した実公平４ー３２５４３号公報に示すような構造が公知である。これ等の公知技術を含めて、マンホール躯体に取付管を取付ける構造としては種々の構造のものが実施されているが、一般的に取付管の口径が３５０ｍｍ以下のものが実施されていた。このように口径が３５０ｍｍ以下の取付管をマンホール躯体に取付けるに当たっては、マンホール躯体に穿設された取付管用穴の内周縁に取付ソケット等の外周面を押さえつけるようにして取付構成していた。
【０００３】
【発明が解決しようとする課題】
然るに、一般的に口径が４００ｍｍ以上の大口径管をマンホール躯体の取付管用穴に取付けようとすると、図４に示すように、マンホール躯体２１に穿設した取付管用穴２２内に大口径管２３を挿入した場合には、大口径管２３の上下外周部と取付管用穴２２の上下縁とで接する位置Ａと、大口径管２３の左右外周部と取付管用穴２２の左右縁とで接する位置Ｂとは相互の位置が著しく異なるので、仮に可撓性を持ったソケット（図示せず）をマンホール躯体２１の曲面形状に合わせても、前記ソケットで大口径管の外周面を完全に押さえることは困難である問題があった。
【０００４】
本発明に係るマンホールに於ける大口径管の取付構造は、前述の従来の問題点に鑑み開発された全く新しい技術であって、特に鋼製ソケットと可撓性ゴムソケットとを併用して使用し、かつ鋼製ソケットをマンホール躯体の外周面に取付けると共に、可撓性ゴムソケットの元部を鋼製ソケット内に挿入固定して、可撓性ゴムソケットを鋼製ソケットに連結し、かつ可撓性ゴムソケット内に挿通された大口径管の外周面に可撓性ゴムソケットの先端部を締付固定して大口径管をマンホール躯体に取付けるようにした全く新しい技術を提供するものである。
【０００５】
【課題を解決するための手段】
本発明に係るマンホール取付構造は前述の従来の問題点を根本的に改善した発明であって、その発明の要旨は、元部外周にフランジが一体的に設けられた大口径管の外径より十分大きな内径を持った鋼製ソケットと、元部が該鋼製ソケット内に挿入される可撓性ゴムソケットと、拡径押え金具と、鋼製バンドとを用いてマンホール躯体の壁面に穿設された取付管用穴に大口径管を取付ける構造に於て、取付管用穴の周りのマンホール躯体の外周面に当接された前記鋼製ソケットのフランジがボルトを介してマンホール躯体に埋設されたアンカーに取付固定され、前記可撓性ゴムソケットの元部が鋼製ソケット内に挿入されて拡径押え金具で該鋼製ソケットの内周面に圧着固定され、前記可撓性ゴムソケット、鋼製ソケット及び取付管穴内に挿通された大口径管の外周面に鋼製バンドを介して可撓性ゴムソケットの先端部が締付固定されていることを特徴としたマンホールに於ける大口径管の取付構造である。
【０００６】
【発明の実施の形態】
図により本発明に係るマンホールに於ける大口径管の取付構造の一実施例を具体的に説明すると、図１は本発明に係る取付構造の要部の拡大断面説明図、図２は図１の全体の取付構造の構成を示す断面説明図、図３は図２の取付構造の正面図である。
【０００７】
図１乃至図３に於いて、１はマンホール躯体であって、その壁面には大口径管を挿入することが出来る大きな内径を有する取付管用穴２が穿設されている。３は該取付管用穴２内に挿通することが出来る大口径管である。
【０００８】
次に、４は鋼製ソケットであって、前記大口径管３の外径より十分大きな内径を有しており、かつこの鋼製ソケット４の元端縁には、前記マンホール躯体１の外周面に当接することが出来るフランジ５が一体的に設けられている。６は可撓性ゴムソケットであって、前記大口径管３を挿通することが出来る内径を有し、かつ前記鋼製ソケット４内に挿入し得る外径を持って構成されている。
【０００９】
本発明に係る大口径管の取付構造の構成に当たっては、図１乃至図３に示すように、先ず鋼製ソケット４のフランジ５をマンホール躯体１の外周面に当接し、かつ、予めマンホール躯体１の外壁に埋設されたアンカー７にボルト８を螺合することにより鋼製ソケット４をマンホール躯体１に取付固定する。更に、鋼製ソケット４のフランジ５とマンホール躯体１の外周面との間に形成される隙間には、シール材を充填する（図示せず）ことによって、フランジ５とマンホール躯体１の外周面との間の止水性を確保する。
【００１０】
次に、可撓性ゴムソケット６の元部を鋼製ソケット４内に挿入し、かつ拡径押さえ金具９を可撓性ゴムソケット６の元部内周面に当接しながらこれを押し広げることによって、可撓性ゴムソケット６の元部を鋼製ソケット４内に圧着固定し、鋼製ソケット４に可撓性ゴムソケット６を連結する。
【００１１】
更に、大口径管３を可撓性ゴムソケット６の先端部より挿入して、可撓性ゴムソケット６、鋼製ソケット４及びマンホール躯体１の取付管用穴２内に挿通し、可撓性ゴムソケット６の先端部をその外周面より一つ又は複数の鋼製バンド１０で締め付けて、可撓性ゴムソケット６の先端部を大口径管３に取付固定する。このように構成することによって、大口径管の取付構造を完成せしめることが出来る。
【００１２】
上記実施例に於いて、マンホール躯体１の取付管用穴２の周りに鋼製ソケット４を取付ける作業と、及び鋼製ソケット４内に可撓性ゴムソケット６を挿入して取付ける作業とは、いずれも工場内で実施することが出来る。従って精度良く取付けることが出来ると共に、大口径管３の現場に於ける取付作業を簡単にすることが出来る。上記実施例に於いては、ソケット４を鋼で形成したが、このソケット４は繊維強化プラスチック（ＦＲＰ）、或いはレジンコンクリートで形成しても良い。
【００１３】
本発明に係る大口径管の取付構造は、前述の如く、鋼製ソケット４をマンホール躯体１の取付管用穴２の周りに取付けると共に、この鋼製ソケット４に可撓性ゴムソケット６を取付けて連結し、かつ可撓性ゴムソケット６に挿通された大口径管３の周りに、鋼製バンド１０を介して可撓性ゴムソケット６を締付固定するようにしたので、大口径管３を安定した状態でマンホール躯体１に取付固定することが出来る。
【００１４】
特に、大口径管３をマンホール躯体１の取付管用穴２の全体で押さえ付けることが困難であっても、鋼製ソケット４を介してマンホール躯体１に取付けられた可撓性ゴムソケット６と大口径管３とを確実に連結することが出来るので、大口径管３を簡単かつ強固にマンホール躯体１に取付固定することが出来る。可撓性ゴムソケット６と大口径管３との連結に当たっては、複数個の鋼製バンド１０を使用して強固に締め付けることによって、両者の結合を安定させることが出来る。
【００１５】
【発明の効果】
本発明に係るマンホールに於ける大口径管の取付構造は、前述のように、鋼製ソケットと可撓性ゴムソケットとを介して大口径管をマンホール躯体に取付けるようにしたので、安定した状態で大口径管をマンホール躯体に取付けるとが出来る。特に大口径管とマンホール躯体の取付管用穴との接触位置が上下と左右とで大きく異なった場合にも、鋼製ソケット或いは可撓性ゴムソケットの、マンホール躯体或いは大口径管に接触する面積を大きくすることが出来るので、これ等の結合を安定させかつ強固にすることが出来る。また、鋼製ソケット及び可撓性ゴムソケットは、夫々工場等でマンホール躯体に取付けることが出来るので、極めて精度良く確実に取付けることが出来る。更に現場での施工作業を容易にすることが出来る等の多大な効果を有している。
【図面の簡単な説明】
【図１】  本発明に係る取付構造の要部の拡大断面説明図である。
【図２】  図１の全体の取付構造の構成を示す断面説明図である。
【図３】  図２の取付構造の正面図である。
【図４】  従来の大口径管の取付構造に於ける問題点を説明するための横断面説明図である。
【符号の説明】
１           マンホール躯体
２           取付管用穴
３           大口径管
４           鋼製ソケット
５           フランジ
６           可撓性ゴムソケット
７           アンカー
８           ボルト
９           拡径押え金具
10           鋼製バンド
【図１】
0003653314.tif 000002
【図２】
0003653314.tif 000003
【図３】
0003653314.tif 000004
【図４】
0003653314.tif 000005